(57)【要約】【課題】経鼻内視鏡検査の前処置においてゼリー状の麻酔剤を無駄に余らせることなく鼻道の手前から奥まで満遍なく且つ少ない手間で手軽に塗布できるようにすること。【解決手段】処置具は、細長く先端の閉じた円筒の形状に形成された本体部１０を有し、その本体部１０の先端には、円錐状の尖端部１１が突出形成されている。本体部１０の側面における尖端部１１より後端側に向かって所定の長さまでの部分には、内部に貫通する貫通孔１２が複数形成されている。それら貫通孔１２は、本体部１０の軸の方向に沿って等間隔に一列に複数配置されており、更に、それら貫通孔１２の列は、本体部１０の周の方向において等間隔に複数本配置されている。【選択図】図５
2009050543.tif 000002
【特許請求の範囲】
【請求項１】
被検者の鼻道に処置を施すために利用される処置具であって、
細長く先端の閉じた円筒の形状に形成された本体部を有し、
前記本体部の側面から内部に貫通する貫通孔が軸方向に沿って一列に複数形成され、
前記貫通孔の列が周方向において等間隔に複数備えられている
ことを特徴とする処置具。
【請求項２】
前記各貫通孔は、隣接する列上の貫通孔に対し、軸方向にずれている
ことを特徴とする請求項１記載の処置具。
【請求項３】
前記各列上において各貫通孔は等間隔に並んでいる
ことを特徴とする請求項１又は２記載の処置具。
【請求項４】
前記列を４本備える
ことを特徴とする請求項１、２又は３記載の処置具。
【請求項５】
前記本体部の先端が円錐状に突出している
ことを特徴とする請求項１、２、３又は４記載の処置具。
【請求項６】
前記本体部の後端に、相対的に径の大きい円筒状の薬剤収容部が、同軸且つ一体に形成されている
ことを特徴とする請求項１乃至５の何れかに記載の処置具。
【請求項７】
前記薬剤収容部における前記本体部がある側とは反対側の開口に、着脱自在に蓋が取り付けられている
ことを特徴とする請求項６記載の処置具。
【請求項８】
前記薬剤収容部に目盛りが刻まれている
ことを特徴とする請求項６又は７記載の処置具。
【発明の詳細な説明】
【技術分野】
【０００１】
本発明は、経鼻内視鏡検査の前処置において利用される処置具に、関する。
【背景技術】
【０００２】
周知のように、経鼻内視鏡は、細径の挿入部を有し、外鼻孔から消化器や呼吸器へ挿入できるようになっている。その挿入部は、施術時には、総鼻道をを経て咽頭へと挿入される。
【０００３】
内視鏡挿入部を鼻道に挿入する際、鼻粘膜組織がとても傷付き易い海綿体であるため、出血を抑える必要がある。また、鼻道の形状や大きさは、人によっても異なるし場所によっても異なるため、内視鏡挿入部が挿入できるよう拡張しておく必要がある。更に、挿入部の経鼻刺激により痛みが生ずることがあるため、その痛覚を事前に鈍くしておく必要がある。これらの理由から、施術の際、被検者の鼻腔には前処置が施される。その前処置は、基本的には、血管収縮剤の鼻腔内への噴霧と、鼻道の粘膜への麻酔剤の塗布とからなる（例えば、非特許文献１乃至４を参照）。
【０００４】
この前処置において、鼻道の粘膜には、ゼリー状の麻酔剤が塗布される場合があり、そのゼリー状の麻酔剤の塗布には、鼻道の内径に適した細径のネラトン型カテーテル（非特許文献５参照）が、流用されていることが多い。施術者は、まず、１２Ｆｒサイズ程度のネラトンカテーテルにおける先端から所定の長さの部分に麻酔剤を薄く塗り、血管収縮剤塗布済の鼻道にゆっくり挿入し、１分程度留置する。続いて、施術者は、内視鏡挿入部とほぼ同じ幅である１８Ｆｒサイズのネラトンカテーテルにて同じ鼻道に対し同じ処置を行い、その後、麻酔の効き具合とカテーテルの通り具合とを確認する。
【０００５】
ところで、麻酔剤を薄く塗ったネラトンカテーテルの先端部分を被検者の鼻道に挿入している最中に、カテーテルが外鼻孔や鼻甲介に当たって麻酔剤が拭い去られてしまい、鼻道の奥まで麻酔剤が行き渡らないことがある。このような場合、麻酔剤を入れたシリンジ（注射器）のノズルをネラトンカテーテルの後端部に接続し、そのネラトンカテーテルの先端部分を鼻道内に挿入して、シリンジのピストンを押し込んでネラトンカテーテルの先端部分に設けられている孔から麻酔剤を押し出せば、麻酔剤の塗布が済んでいない箇所に対し、麻酔剤を塗布することができる。
【０００６】
しかしながら、先端にのみ孔を有するネラトンカテーテルを用いて麻酔剤を鼻粘膜に塗布しようとすると、鼻道内を塞いでしまう程大量に麻酔剤を押し出さねばならないという問題がある。また、ネラトンカテーテルの中には、先端部分に側孔を有するものもあり（非特許文献６参照）、側孔から麻酔剤を押し出せば鼻道を塞ぐことなく鼻粘膜に麻酔剤を塗布できることとなる。しかし、この種のネラトンカテーテルは、側孔を１個しか有していないことが多く、鼻道内の所望箇所に麻酔剤を塗布するためには、ネラトンカテーテルの先端を回転させて麻酔剤を押し出すという作業を何度か行わねばならず、手間が掛かってしまうと言う問題もある。
【０００７】
また、ネラトンカテーテルの全長が鼻腔に比べて非常に長いため、シリンジにてゼリー状の麻酔剤を押し入れるのにかなり強い力が必要であり、また、処置後にネラトンカテーテル内に大量の麻酔剤が残ってしまう。そのため、施術者の中には、ネラトンカテーテルをその先端から所定の長さの箇所で切断して、先端部分のある方をスティック状の処置具として使用している者もいる（非特許文献２乃至４を参照）。しかし、このような使い方は、ネラトンカテーテル本来の使用方法ではない。
【０００８】
【特許文献１】特許第２８６６３７１号
【非特許文献１】“経鼻内視鏡”、［online］、なかせ内科胃腸科、［平成１９年８月１５日検索］、インターネット＜ＵＲＬ：http://www.myclinic.ne.jp/nakasenaika/pc/free3.html＞
【非特許文献２】“経鼻内視鏡検査の適応と前処置方法”、［online］、今治医師会市民病院、［平成１９年８月１５日検索］、インターネット＜ＵＲＬ：http://www.dokidoki.ne.jp/home2/shiminhp/preparation.htm＞
【非特許文献３】“Transnasal Endoscopy.2007 経鼻内視鏡が拓く新しいスクリーニングの世界  前処置のポイント  Case１  静岡赤十字病院経鼻内視鏡センターの前処置法”、［online］、日経ＢＰ社、［平成１９年８月１５日検索］、インターネット＜ＵＲＬ：http://medical.nikkeibp.co.jp/all/nmk/keibi/view_point.html＞
【非特許文献４】“経鼻的上部消化内視鏡検査について  前処置の流れ・方法”、［online］、出雲中央クリニック、［平成１９年８月１５日検索］、インターネット＜ＵＲＬ：http://www.icc.or.jp/xoops/modules/joubu/maesyochi.php＞
【非特許文献５】田中純子、“よくわかる排泄障害に強くなる！  其ノ六：カテーテル管理の指導”、［online］、株式会社協和企画、［平成１９年８月１５日検索］、インターネット＜ＵＲＬ：http://oab.jp/nursing/pdf/06.pdf＞
【非特許文献６】“ネラトンカテーテル”、［online］、株式会社テーエム松井、［平成１９年８月１５日検索］、インターネット＜ＵＲＬ：http://home.att.ne.jp/surf/km/3qn931.htm＞
【発明の開示】
【発明が解決しようとする課題】
【０００９】
本発明は、前述したような従来技術の有する問題点に鑑みてなされたものであり、その課題は、経鼻内視鏡検査の前処置においてゼリー状の麻酔剤を無駄に余らせることなく鼻道の手前から奥まで満遍なく且つ少ない手間で手軽に塗布できるようにすることにある。
【課題を解決するための手段】
【００１０】
上記の課題を解決するために案出された処置具は、被検者の鼻道に処置を施すために利用されるものであって、細長く先端の閉じた円筒の形状に形成された本体部を有し、その本体部の側面から内部に貫通する貫通孔が軸方向に沿って一列に複数形成され、それら貫通孔の列が周方向において等間隔に複数備えられていることを、特徴としている。
【００１１】
このように構成されると、本体部内にゼリー状の麻酔剤が押し入れられたときには、どの貫通孔からも満遍なく麻酔剤が押し出されることとなる。このため、本発明の処置具の本体部が被検者の鼻道に挿入されている状態で、麻酔剤を本体部の貫通孔から押し出せば、鼻道の手前から奥まで一度に塗布することができる。
【００１２】
なお、本発明の処置具が備える複数の貫通孔は、隣接する列上の貫通孔と軸方向において同じ位置にあっても良いが、軸方向においてずれていても良い。後者のように隣接する貫通孔同士が軸方向においてずれるよう配置されていると、鼻道内に対してより満遍なく麻酔剤を塗布することができる。
【００１３】
また、本発明の処置具の本体部の後端には、開口が形成されていても良いし、相対的に径の大きい円筒状の薬剤収容部が同軸且つ一体に形成されていても良い。前者のように後端に開口が形成されていれば、シリンジのノズルを接続してシリンジを使って麻酔剤を本体部内に押し入れることができる。また、後者のように薬剤収容部が本体部と一体に形成されていれば、この薬剤収容部を使って麻酔剤を本体部内に押し入れることができる。
【発明の効果】
【００１４】
以上に説明したように、本発明によれば、経鼻内視鏡検査の前処置においてゼリー状の麻酔剤を無駄に余らせることなく鼻道の手前から奥まで満遍なく且つ少ない手間で手軽に塗布できるようになる。
【発明を実施するための最良の形態】
【００１５】
以下、添付図面に基づいて、本発明を実施するための最良の形態について、説明する。
【実施形態１】
【００１６】
図１は、第１の実施形態の処置具の側面図である。また、図２は、図１のＡ−Ａ線に沿った断面図であり、図３は、図１のＢ−Ｂ線に沿った断面図である。
【００１７】
第１の実施形態の処置具は、細長く先端の閉じた円筒の形状に形成された本体部１０からなり、その本体部１０の先端には、円錐状の尖端部１１が突出形成されている。なお、第１の実施形態では、本体部１０の全長は、１０ｃｍ乃至１５ｃｍ程度で、外径は、１２Ｆｒサイズ乃至１８Ｆｒサイズ程度である。
【００１８】
また、本体部１０の側面における尖端部１１より後端側に向かって数ｃｍの部分には、内部に貫通する貫通孔１２が複数形成されている。それら貫通孔１２は、本体部１０の軸の方向に沿って等間隔に一列に複数配置されており、更に、それら貫通孔１２の列は、本体部１０の周の方向において等間隔に４本配置されている。更に、各貫通孔１２は、隣接する列上の貫通孔１２に対し、軸方向にずれており、特に、軸方向において最も端にある貫通孔１２以外の全ての貫通孔１２は、軸上に投影してみると、隣接列において互いに隣り合う一対の貫通孔の中間に、配置されている。
【００１９】
ところで、本体部１０の内径は、一般的なシリンジ（注射器）のノズルより若干狭いものとなっている。このため、図４の斜視図に示すように、本体部１０における尖端部１１がある側とは反対側にある後端部１３の開口１４から、シリンジ２０のノズル２１を差し入れることにより、シリンジ２０が接続できるようになっている。ここで、本体部１０は、赤ゴム又はシリコンを素材として製造されているため、ノズル２１を後端部１３の開口１４から本体部１０に圧入したときに、その後端部１３が若干拡張しつつそのノズル２１に密着することとなる。なお、本体部１０の内径及び外径は、図１乃至図３に示すように、先端から後端まで一定となっていても良いが、後端部１３がテーパー状に広がっていても良い。後端部１３がテーパー状に広がっていれば、本体部１０の内径よりも太いノズル２１も後端部１３に差し入れることができる。
【００２０】
第１の実施形態の処置具が、以上のように構成されているため、施術者が、シリンジ２０内にゼリー状の麻酔剤を入れ、そのシリンジ２０のノズル２１を本体部１０の開口１４から差し入れて後端部１３に接続し、ピストン２２を押し込んで本体部１０内に麻酔剤を押し入れると、どの貫通孔１２からも麻酔剤が押し出されることとなる。このため、第１の実施形態の処置具の本体部１０が、図５の使用状態図に示すように、被検者の鼻道に挿入されている状態で、麻酔剤を本体部１０の各貫通孔１２から押し出せば、鼻道の手前から奥まで一度に塗布することができる。而も、ネラトンカテーテルを流用せずともよくなるため、押し出しに強い力を使わなくて済み、また、ネラトンカテーテル内に麻酔剤を大量に残留させてしまうこともなくなる。
【実施形態２】
【００２１】
図６は、第２の実施形態の処置具の斜視図である。
【００２２】
第２の実施形態の処置具は、図６と図１と比較して明らかなように、第１の実施形態の本体部１０に、それより径の大きい円筒状の薬剤収容部１５を追加したものとなっている。第２の実施形態では、薬剤収容部１５は、本体部１０の後端部１３に対し、同軸且つ一体に形成されている。従って、薬剤収容部１５は、本体部１０と同じ材質となっている。
【００２３】
また、薬剤収容部１５は、本体部１０がある側とは反対側の開口に、蓋１６が取り付けられている。この蓋１６は、図７の部分断面図に示すように、薬剤収容部１５に対し、着脱自在となっており、この蓋１６が薬剤収容部１５に取り付けられた状態では、薬剤収容部１５内が、本体部１０に通ずる部分を除き、密閉されているとともに、薬剤収容部１５の蓋１６側の内面と蓋１６の本体部１０側の面とが、平坦面として一体になっている。
【００２４】
更に、薬剤収容部１５には、目盛り１７が刻まれている。この目盛り１７は、蓋１６が取り付けられたときに薬剤収容部１６内の蓋１６側にできる平坦面を、ゼロ基準としている。
【００２５】
第２の実施形態の処置具が、以上のように構成されているため、施術者が、薬剤収容部１５内にゼリー状の麻酔剤を入れ、その薬剤収容部１５を押し潰して本体部１０内に麻酔剤を押し入れると、どの貫通孔１２からも麻酔剤が押し出されることとなる。このため、第２の実施形態の処置具の本体部１０が、被検者の鼻道に挿入されている状態で、麻酔剤を本体部１０の各貫通孔１２から押し出せば、鼻道の手前から奥まで一度に塗布することができる。而も、ネラトンカテーテルを流用せずともよくなるため、押し出しに強い力を使わなくて済み、また、ネラトンカテーテル内に麻酔剤を大量に残留させてしまうこともなくなる。
【００２６】
また、第２の実施形態の処置具は、薬剤収容部１５を備えているため、シリンジ２０を用意する必要がない。また、薬剤収容部１５には、目盛り１７が刻まれているため、施術者が、ゼリー状の麻酔剤をどの程度鼻道に塗布したかを、把握することができる。これにより、施術者は、被検者の鼻道に施す麻酔剤が適量となるよう調節することができる。
【００２７】
なお、第２の実施形態の処置具は、薬剤収容部１５に入れられた麻酔剤の量を目盛り１７を使って視認できるようにするため、赤ゴム製であるよりも、半透明のシリコン製であることが好ましい。
【図面の簡単な説明】
【００２８】
【図１】第１の実施形態の処置具の側面図
【図２】図１のＡ−Ａ線に沿った断面図
【図３】図１のＢ−Ｂ線に沿った断面図
【図４】処置具とシリンジの斜視図
【図５】処置具の使用状態図
【図６】第２の実施形態の処置具の斜視図
【図７】処置具の部分断面図
【符号の説明】
【００２９】
１０    本体部
１１    尖端部
１２    貫通孔
１３    後端部
１４    開口
１５    薬剤収容部
１６    蓋
１７    目盛り
２０    シリンジ
２１    ノズル
２２    ピストン
【図１】
2009050543.tif 000003
【図２】
2009050543.tif 000004
【図３】
2009050543.tif 000005
【図４】
2009050543.tif 000006
【図５】
2009050543.tif 000007
【図６】
2009050543.tif 000008
【図７】
2009050543.tif 000009